(57)【要約】【課題】マウスの操作部であるボタン等に当接させる人差し指、中指、薬指を、ボタン等から浮かせるように、無意識のうち手を強張らせることによって生じる腕の緊張を取り、「肩が凝る」「腕が張る」などの疾患を回避することができるマウス用疲労防止具およびマウスを提供すること。【解決手段】掌側で芯杆１１が指と交差するように該指と着脱可能に嵌合された挿嵌部１１ｂを該芯杆１１に設け、該芯杆１１は、マウスＭを把持した際に該指先が該マウスＭの操作部に操作可能に当接する所要高さでマウス用疲労防止具を形成する。このように構成することで、指とマウス上面との間に所要高さの芯杆１１を介在させて、ヒトの反射行動によって無意識のうちに自然と指が折れ曲がり、マウスＭの操作部に指を当接させる。【選択図】　　　　図１
2004078346.tif 000002
【特許請求の範囲】
【請求項１】
掌側で芯杆が指と交差するように該指と着脱可能に嵌合された挿嵌部を該芯杆に設けて成り、該芯杆は、マウスを把持した際に該指先が該マウスの操作部に操作可能に当接する所要高さで形成されていることを特徴とするマウス用疲労防止具。
【請求項２】
掌側で芯杆が指と交差するように該マウス上面幅方向に亘って貼着可能に構成されて成り、該マウス上面に指と交差するように該芯杆を貼着し該マウスを把持した際に指先が該マウスの操作部に操作可能に当接する所要高さで形成されていることを特徴とするマウス用疲労防止具。
【請求項３】
マウス上面に係合部を形成したマウス本体と、該係合部と着脱可能に係合された被係合部が設けられ掌側で指と交差するように該マウス上面幅方向に亘って配設された芯杆とを備えて成り、該芯杆は、該マウス本体を把持した際に指先が該マウスの操作部に操作可能に当接する所要高さで形成されていることを特徴とするマウス。
【請求項４】
マウス上面に掌側で指と交差するように凸部が該マウス上面幅方向に亘って突設され、該凸部は、該マウスを把持した際に指先が該マウスの操作部に操作可能に当接する所要の高さで形成されていることを特徴とするマウス。
【発明の詳細な説明】
【０００１】
【発明の属する技術分野】
この発明は、パーソナルコンピュータ（以下、「パソコン」と称する）などの入力デバイスであるマウスに関し、更に詳しくは、マウスを用いる際に使用されるマウス用疲労防止具、および、マウス形状の改良に関する。
【０００２】
【従来の技術】
地方自治体、民間などの主催で各地で開講されているパソコン講座は、現在、多くの人たちで賑わっている。この講座には、中高年層の人たちも多く見受けられ、インターネットや電子メールの普及が確実に浸透しつつあると言える。
ところで、現在のパソコンは、周知の通り、ＯＳやＯＳ上で動作する各種ソフトを操作するのにマウスが使用されている。
【０００３】
このマウスは、その外観形状が略半球面形状を呈しており、親指と小指とでマウス両側面を挟むように掴持し、残りの人差し指、中指、薬指を、マウスの操作部であるボタン等に当接させて瞬時にクリックできるようにしている人が一般的である。特に、手に馴染むようにと３次元曲線を多用したものもあり、使い勝手をさらに向上させている。
【０００４】
【発明が解決しようとする課題】
しかしながら、中高年層の人たちを始めとするパソコン初心者の人は、ぎこちない手つきで恐る恐るマウスにさわり、パソコンの操作をしている人がほとんどである。そのため、パソコン操作を終えると、「肩が凝る」「腕が張る」などの疾患を訴えて、鍼灸院等に通院する人が多い。
【０００５】
上記した疾患の要因は、このパソコン初心者の人たちのマウスの扱い方に問題がある。すなわち、パソコン初心者の人たちは、マウスの操作部であるボタン等に当接させる人差し指、中指、薬指を、ボタン等から浮かせるように、無意識のうち手を強張らせてしまい、それが腕を緊張させて上記した疾患につながる。
【０００６】
このことをパソコン初心者の人たちに指摘し、マウスの操作部であるボタン等に人差し指、中指、薬指を当接させるようにリラックスして操作するようにと指導しても、パソコン操作に集中してしまい、すぐに元の状態に戻って腕を緊張させてしまう。
【０００７】
そこで本件発明者は、この問題を解消すべく鋭意研究をした結果、マウス自体に着目し、マウスの操作部に、人差し指、中指、薬指が無意識のうちに当接させるマウス用疲労防止具およびマウスを知見するに至った。
そこで本発明は、腕の緊張を取り、「肩が凝る」「腕が張る」などの疾患を回避することができるマウス用疲労防止具およびマウスを提供することを目的とする。
【０００８】
【課題を解決するための手段】
上記課題を解決するために本発明にかかるマウス用疲労防止具は、掌側で芯杆が指と交差するように該指と着脱可能に嵌合された挿嵌部を該芯杆に設けて成り、該芯杆は、マウスを把持した際に該指先が該マウスの操作部に操作可能に当接する所要高さでマウス用疲労防止具を形成したことである。
【０００９】
この技術的手段によれば、人差し指、中指、薬指のいずれか、または、これらの指全てを芯杆に設けられた挿嵌部に嵌合させて掌側で芯杆が指と交差するようにセットする。この状態で従来形状のマウスを把持すると、これらの指とマウス上面との間に所要高さの芯杆が介在して、手の平に刺激を与えれば瞬間的に手を握るが如く生体の反射行動によって無意識のうちに自然と指が折れ曲がり、マウスの操作部に指が当接する。そして、所要時にマウスの操作部に指を押動することでパソコンオ操作を可能とする（請求項１）。
【００１０】
また、マウス用疲労防止具の別の態様として、掌側で芯杆が指と交差するように該マウス上面幅方向に亘って貼着可能に構成されて成り、該マウス上面に指と交差するように該芯杆を貼着し該マウスを把持した際に指先が該マウスの操作部に操作可能に当接する所要高さで形成されていても良い（請求項２）。
【００１１】
また、上記課題を解決するために本発明にかかるマウスは、マウス上面に係合部を形成したマウス本体と、該係合部と着脱可能に係合された被係合部が設けられ掌側で指と交差するように該マウス上面幅方向に亘って配設された芯杆とを備えて成り、該芯杆は、該マウス本体を把持した際に指先が該マウスの操作部に操作可能に当接する所要高さで形成されていることにある。
【００１２】
上記技術的手段によれば、マウス本体の上面に形成された係合部に、所要高さで形成された芯杆の被係合部を着脱可能に係合して、マウスを把持した際に掌側で指と交差するように該マウス上面幅方向に亘って芯杆を配設する。この状態でマウスを把持すると、これらの指とマウス上面との間に所要高さの芯杆が介在して、生体の反射行動によって無意識のうち自然と指が折れ曲がりマウスの操作部に指が当接する。そして、所要時にマウスの操作部に指を押動することでパソコン操作を可能とする。
【００１３】
この互いに着脱可能に係合する係合部と被係合部の形状は、特に限定されないが、マウス上面に凹部を設け、芯杆に凸部を設けて挿脱可能に嵌合するように構成することで、この芯杆を取り外して通常のマウスのように使用することもできる。
また、互いに着脱可能に係合する係合部と被係合部は、マウス上面に螺子孔を設け、芯杆に挿通孔を設けて螺合可能に構成しても良い（請求項３）。
【００１４】
また、上記したマウスの別の態様として、マウス上面に掌側で指と交差するように凸部が該マウス上面幅方向に亘って突設され、該凸部は、該マウスを把持した際に指先が該マウスの操作部に操作可能に当接する所要の高さで形成されていても良いものである。
【００１５】
【発明の実施の形態】
次に、本発明の実施の形態を図１〜図５を用いて説明をする。
（実施形態１）
実施形態１にかかるマウス用疲労防止具は、図１及び図２に示すように、下面１１ａがマウスＭ上面の最隆起部幅方向に沿った凹湾曲面を呈する共に、掌側で指と交差するように中指と挿脱可能に嵌合する環状の挿嵌部１１ｂを中央上面に設けた略凸字状の芯杆１１からなっており、この挿嵌部１１ｂの下面は中指を載置させる凹湾曲状の載置面１１ｃが形成され、その挿嵌部１１ｂを挟んで両側に人差し指と薬指を載置させる凹湾曲状の載置面１１ｄ，１１ｅが形成されている。
【００１６】
この上記した夫々の載置面１１ｃ，１１ｄ，１１ｅの高さは、マウス上面から略０．５乃至１．５ｃｍ程度が好適である。
【００１７】
このマウス用疲労防止具は、ウレタンゴムなどの可撓性部材からなっており、芯杆１１の下面中央幅方向に亘って凹設された凹部１１ｆによって、凹湾曲面側に容易に弾性変形可能になっている。
【００１８】
このように構成された実施形態１にかかるマウス用疲労防止具は、まず、中指を挿嵌部１１ｂに挿通させ、掌側で芯杆１１が指と交差するようにセットする。この状態で従来形状のマウスＭを把持すると、これらの指とマウスＭ上面との間に芯杆１１が介在して、ヒトの反射行動によって無意識のうち自然と指が折れ曲がり、マウスＭの操作部に指が当接する。そして、所要時にマウスの操作部に指を押動することでパソコン操作が可能になる。
【００１９】
このように、マウスの操作部であるボタン等に当接させる人差し指、中指、薬指を、マウスＭ上面から積極的に浮かせるようにすることで、無意識のうち手を握るが如く自然と指が折れ曲がることで、腕の緊張を解いて「肩が凝る」「腕が張る」などの疾患を回避することができる。
また、マウスＭの操作に慣れたら、このマウス用疲労防止具の使用をやめることでマウス本来の外観形状でもってマウスＭの操作を行う。
【００２０】
（実施形態２）
実施形態２にかかるマウス用疲労防止具は、図３に示すように、実施形態１で例示した挿嵌１１ｂ部の替わりに　芯杆１２下面に形成された凹湾曲面に接着テープ１２１を配設した例である。
【００２１】
なお、以下に例示した実施形態２〜４は、それぞれの載置面の形状、高さ、構成する部材の材質（実施形態２、３のみ）等は、上記した実施形態１で例示したものと同一であるため、詳細な説明は省略する。
この実施形態によれば、従来のマウスＭ上面の最隆起部幅方向に沿って本マウス用疲労防止具を貼着して用いる。不要になったときは、取り外すことで、マウス本来の外観形状でもってマウスＭの操作が可能となる。
【００２２】
（実施形態３）
実施形態３にかかるマウスは、図４に示すように、下面に形成された凹湾曲面の左右２箇所に先端が拡径したピン状の被係合部１３ａを設けた芯杆１３と、この被係合部１３ａと着脱可能に係合する嵌合孔からなる係合部１３ｂをマウス上面の最隆起部幅方向に穿設したマウス本体Ｍ３とで構成されている。
【００２３】
この実施形態によれば、マウスＭ３上面の最隆起部幅方向に沿って係合部１３ｂと被係合部１３ａとが係合するように芯杆１３を押込んで用いる。不要になったときは、芯杆１３を引張ることで取り外すことが可能であり、マウス本体Ｍ３単体での操作が可能となる。
なお、互いに着脱可能に係合する係合部と被係合部は、マウス上面に螺子孔を設け、芯杆に挿通孔を設けて螺合可能に構成しても良いものである。
【００２４】
（実施形態４）
実施形態４にかかるマウスは、図５に示すように、マウス上面に掌側で指と交差するように凸部１４ａが、マウスＭ４上面の最隆起部幅方向に亘ってマウス筐体１４ｂと一体成形された例である。
【００２５】
以上のように構成された実施形態４にかかるマウスＭ４は、実施形態１〜３と同様に指とマウスＭ４上面との間に凸部１４ａが介在して、ヒトの反射行動によって無意識のうち自然と指が折れ曲がり、マウスＭ４の操作部に指が当接する。そして、所要時にマウスＭ４の操作部に指を押動することでパソコン操作が可能になる。
【００２６】
以上、本実施形態におけるマウス用疲労防止具、及びマウスを例示したが、このものに限定されず、例えば、芯杆あるいは凸部に形成された指の載置面を平面状に形成したり、芯杆あるいは凸部の外観形状を俵状に形成したりと、その態様は任意である。
【００２７】
【発明の効果】
本発明によれば、指とマウス上面との間に所要高さの芯杆が介在して、手の平に刺激を与えれば瞬間的に手を握るが如く生体の反射行動によって無意識のうちに自然と指が折れ曲がり、マウスの操作部に指が当接し、所要時にマウスの操作部に指を押動することでパソコン操作を可能とするから、腕の緊張を取り、「肩が凝る」「腕が張る」などの疾患を回避することができる。
【図面の簡単な説明】
【図１】実施形態１にかかるマウス用疲労防止具の正面図である。
【図２】同、右側面図である。
【図３】実施形態２にかかるマウス用疲労防止具の正面側斜視図である。
【図４】実施形態３にかかるマウスの中央縦断正面図である。
【図５】実施形態４にかかるマウスの正面側斜視図である。
【符号の説明】
Ｍ、Ｍ４　マウス
Ｍ３　マウス本体
１１、１２，１３　芯杆
１１ｂ　挿嵌部
１３ｂ　係合部
１３ａ　被係合部
１４ａ　凸部
【図１】
2004078346.tif 000003
【図２】
2004078346.tif 000004
【図３】
2004078346.tif 000005
【図４】
2004078346.tif 000006
【図５】
2004078346.tif 000007